(57)【要約】  紙幣処理機（１）は、投入部（４）に投入された紙幣を識別する識別部（６）と、識別部（６）により識別された紙幣を集積するための複数の集積部（１３、１４、１５、１６）を有する第１の紙幣処理装置（２）と、第１の紙幣処理装置（２）に連結して配置され、第１の紙幣処理装置（２）の識別部（６）により識別された紙幣が送られるようになっており、第１の紙幣処理装置（２）から送られた紙幣を集積するための複数の集積部（３２、３３、３４、３５）を有する第２の紙幣処理装置（３）と、第１の紙幣処理装置（２）および第２の紙幣処理装置（３）を制御する制御部（７０）とを備えている。制御部（７０）は、第１国の紙幣と第１国以外の国の紙幣がそれぞれ搬送される紙幣処理装置を、第１の紙幣処理装置（２）または第２の紙幣処理装置（３）に振り分けるように制御を行う。
2010032310.tif 000002
【特許請求の範囲】
【請求項１】
第１国の紙幣および第１国以外の国の紙幣を含む複数の国の複数の金種の紙幣の処理を行う紙幣処理機であって、
紙幣が投入される投入部と、前記投入部に投入された紙幣を識別する識別部と、前記識別部により識別された紙幣を集積するための集積部を有する第１の紙幣処理装置と、
前記第１の紙幣処理装置に連結して配置され、前記第１の紙幣処理装置の前記識別部により識別された紙幣が送られるようになっており、前記第１の紙幣処理装置から送られた紙幣を集積するための集積部を有する第２の紙幣処理装置と、
前記第１の紙幣処理装置および前記第２の紙幣処理装置を制御する制御部であって、第１国の紙幣と第１国以外の国の紙幣がそれぞれ搬送される紙幣処理装置を、前記第１の紙幣処理装置または前記第２の紙幣処理装置に振り分けるように制御する制御部と、
を備えたことを特徴とする紙幣処理機。
【請求項２】
前記制御部は、前記第１の紙幣処理装置の前記識別部により識別された紙幣が第１国の紙幣である場合にはこの紙幣を前記第２の紙幣処理装置の前記集積部に集積させ、前記第１の紙幣処理装置の前記識別部により識別された紙幣が第１国以外の国の紙幣である場合にはこの紙幣を前記第１の紙幣処理装置の前記集積部に集積させるように制御を行うことを特徴とする請求項１記載の紙幣処理機。
【請求項３】
前記第１の紙幣処理装置において、集積部は複数設けられており、紙幣は金種毎に各集積部に集積されることを特徴とする請求項１記載の紙幣処理機。
【請求項４】
前記第２の紙幣処理装置において、集積部は複数設けられており、紙幣は金種毎に各集積部に集積されることを特徴とする請求項１記載の紙幣処理機。
【請求項５】
第２の紙幣処理装置は、当該第２の紙幣処理装置の前記集積部に集積された紙幣を帯封紙で帯封し、帯封紙幣を作成するための帯封部を有することを特徴とする請求項１記載の紙幣処理機。
【請求項６】
前記制御部は、第１回目の処理において、前記第１の紙幣処理装置の前記識別部により識別された紙幣が第１国の紙幣である場合にはこの紙幣を前記第２の紙幣処理装置の前記集積部に集積させ、前記第１の紙幣処理装置の前記識別部により識別された紙幣が第１国以外の国の紙幣である場合にはこの紙幣を前記第１の紙幣処理装置の前記集積部に集積させ、前記第２の紙幣処理装置の前記集積部に集積された第１国の紙幣を前記帯封部により帯封紙で帯封し、第１国の帯封紙幣を前記第２の紙幣処理装置から取り出し、前記第１回目の処理に引き続いて行われる第２回目の処理において、前記第１の紙幣処理装置の前記識別部により識別された紙幣が第１国以外の国の紙幣である場合にはこの紙幣を前記第２の紙幣処理装置の前記集積部に集積させ、前記第２の紙幣処理装置の前記集積部に集積された第１国以外の国の紙幣を前記帯封部により帯封紙で帯封し、第１国以外の国の帯封紙幣を前記第２の紙幣処理装置から取り出すように制御を行うことを特徴とする請求項５記載の紙幣処理機。
【請求項７】
第１国の紙幣および第１国以外の国の紙幣がそれぞれ搬送される紙幣処理装置を予め指定するための搬送先指定部を更に備え、
前記制御部は、前記第１の紙幣処理装置の前記識別部による紙幣の識別結果に基づいて、第１国の紙幣および第１国以外の国の紙幣を、それぞれ前記搬送先指定部により指定された紙幣処理装置の集積部に集積させるように制御することを特徴とする請求項１記載の紙幣処理機。
【請求項８】
第１国の紙幣および第１国以外の国の紙幣がそれぞれ搬送される紙幣処理装置を予め指定するための搬送先指定部と、
第１国の紙幣および第１国以外の国の紙幣のうちどちらの紙幣を優先して処理するかを予め指定するための優先処理国指定部と、
国毎に紙幣の金種の数を記憶する記憶部と、
を更に備え、
前記制御部は、前記優先処理国指定部により指定された第１国の紙幣または第１国以外の国の紙幣について、前記記憶部に記憶された金種の数が、前記搬送先指定部により指定された紙幣処理装置の集積部の数よりも多い場合には、他方の紙幣処理装置の集積部に、前記搬送先指定部により指定された紙幣処理装置の集積部に割り当てられなかった金種の紙幣を集積させるよう割り当てを行うことを特徴とする請求項１記載の紙幣処理機。
【請求項９】
前記紙幣処理機は、３ヶ国以上の国の紙幣の処理を行うようになっており、
前記第１の紙幣処理装置および前記第２の紙幣処理装置において、集積部はそれぞれ複数設けられており、
前記制御部は、前記第１の紙幣処理装置の前記識別部により識別された紙幣が第１国の紙幣である場合にはこの紙幣を前記第２の紙幣処理装置の前記各集積部に金種毎に集積させ、前記第１の紙幣処理装置の前記識別部により識別された紙幣が第１国および第２国の紙幣ではない場合にはこの紙幣を前記第１の紙幣処理装置における１つの特定集積部に混合状態で集積させ、前記第１の紙幣処理装置の前記識別部により識別された紙幣が第２国の紙幣である場合にはこの紙幣を前記第１の紙幣処理装置における前記特定集積部を除く前記各集積部に金種毎に集積させるように制御を行うことを特徴とする請求項１記載の紙幣処理機。
【発明の詳細な説明】
【技術分野】
【０００１】
本発明は、第１国の紙幣および第１国以外の国の紙幣を含む複数の国の複数の金種の紙幣の処理を行う紙幣処理機に関する。なお、本出願においては、「国」とは、「国家連合（例えば、欧州連合（ＥＵ）等）」を含む概念のものである。すなわち、複数の国の紙幣としては、例えば、日本円、アメリカドル、中国元等の他に、ユーロ（ＥＵＲＯ）を挙げることができる。
【背景技術】
【０００２】
従来から、複数の金種の紙幣を複数のスタッカに仕分けて収納する紙幣処理装置として、例えば特開２００５−１６５８０６号公報（ＪＰ２００５−１６５８０６Ａ）等に開示されるものが知られている。特開２００５−１６５８０６号公報に開示される紙幣処理装置においては、ホッパに積層状態で載置された複数の紙幣を、最下層のものから１枚ずつ筐体の内部に取り込んで筐体の内部で搬送し、この筐体の内部に取り込まれた紙幣を識別部によって金種等を識別するようになっている。そして、識別部による紙幣の識別結果に基づいて紙幣を複数（例えば３つ）の集積部（スタッカ）のうちいずれかの集積部に仕分けするようになっている。【０００３】
特開２００５−１６５８０６号公報に開示される紙幣処理装置では、複数の集積部のうち１つの特定集積部を除く各集積部に対して操作者が任意の金種を割り当て、識別部により識別された紙幣の金種が各集積部に割り当てられた金種である場合にはこの紙幣を対応する集積部に集積させるようになっている。一方、識別部により識別された紙幣の金種が各集積部に割り当てられた金種ではなかった場合にはこの紙幣を混合状態で１つの特定集積部に集積させるようになっている。そして、例えばある集積部が満杯になったり、紙幣の計数が終了したりした場合には、紙幣の処理を停止し、各集積部に対する金種の割り当てをクリアする。【０００４】
その後、操作者は、金種が割り当てられた集積部から紙幣を取り除き、特定集積部にある混合状態の紙幣を積層状態でホッパに再び載置する。そして、各集積部に対して金種の割り当てを再度行う。その後、ホッパに載置された紙幣が筐体の内部に取り込まれ、この紙幣が識別部により金種等が識別されると、識別部により識別された紙幣の金種が各集積部に割り当てられた金種である場合にはこの紙幣を対応する集積部に集積させ、識別部により識別された紙幣の金種が各集積部に割り当てられた金種ではなかった場合にはこの紙幣を再び混合状態で１つの特定集積部に集積させる。このような紙幣の処理を複数回繰り返すことにより、紙幣を金種毎に仕分けることができる。
【発明の開示】
【０００５】
特開２００５−１６５８０６号公報に開示される紙幣処理装置では、複数回の紙幣の処理を繰り返すことにより、紙幣を金種毎に仕分けることができるが、紙幣の処理回数が多くなってしまうという問題がある。より具体的には、特開２００５−１６５８０６号公報に開示される紙幣処理装置には３つの集積部が設けられているが、このうち１つの集積部を特定集積部とすると、金種を割り当てることができる集積部は２つとなる。これに対して、例えば金種の数が６つである紙幣を紙幣処理装置で処理する場合には、１回の紙幣の処理では２つの金種の紙幣しか仕分けることができないため、３回の紙幣の処理を行う必要がある。
【０００６】
また、例えば国境付近（ボーダーエリア）に設けられた紙幣処理装置で紙幣の処理を行う場合には、複数の国の紙幣が混在するおそれがあり、この場合には複数の国の各々の金種に紙幣を仕分ける必要があるため、紙幣の処理回数が更に増えるおそれがある。具体的には、国境付近に設けられた紙幣処理装置で紙幣の処理を行う場合には、最初に紙幣処理装置で第１国の紙幣と第１国以外の国の紙幣とを仕分け、各々の国の紙幣についてその国専用の紙幣処理装置で更に仕分けしなければならない。このため、紙幣の処理回数が増えてしまうという問題がある。
【０００７】
本発明は、このような点を考慮してなされたものであり、複数の国の複数の金種の紙幣の処理を行う場合であっても、紙幣の処理回数が増えてしまうことを防止することができる紙幣処理機に関する。
【０００８】
本発明の紙幣処理機は、第１国の紙幣および第１国以外の国の紙幣を含む複数の国の複数の金種の紙幣の処理を行う紙幣処理機であって、紙幣が投入される投入部と、前記投入部に投入された紙幣を識別する識別部と、前記識別部により識別された紙幣を集積するための集積部を有する第１の紙幣処理装置と、前記第１の紙幣処理装置に連結して配置され、前記第１の紙幣処理装置の前記識別部により識別された紙幣が送られるようになっており、前記第１の紙幣処理装置から送られた紙幣を集積するための集積部を有する第２の紙幣処理装置と、前記第１の紙幣処理装置および前記第２の紙幣処理装置を制御する制御部であって、第１国の紙幣と第１国以外の国の紙幣がそれぞれ搬送される紙幣処理装置を、前記第１の紙幣処理装置または前記第２の紙幣処理装置に振り分けるように制御する制御部と、を備えたことを特徴とする。
【０００９】
本発明の紙幣処理機によれば、第１の紙幣処理装置に対して第２の紙幣処理装置が連結して配置されており、第１の紙幣処理装置の識別部により識別された紙幣が第２の紙幣処理装置に送られるようになっている。そして、制御部により、第１国の紙幣と第１国以外の国の紙幣がそれぞれ搬送される紙幣処理装置が、第１の紙幣処理装置または第２の紙幣処理装置に振り分けられる。このため、複数の国の複数の金種の紙幣を行う場合、まず、紙幣が国毎に第１の紙幣処理装置または第２の紙幣処理装置に仕分けられる。このため、単に複数の集積部が並列に設けられた紙幣処理機と比較して、紙幣の処理回数を減らすことができる。
【００１０】
本発明の紙幣処理機においては、前記制御部は、前記第１の紙幣処理装置の前記識別部により識別された紙幣が第１国の紙幣である場合にはこの紙幣を前記第２の紙幣処理装置の前記集積部に集積させ、前記第１の紙幣処理装置の前記識別部により識別された紙幣が第１国以外の国の紙幣である場合にはこの紙幣を前記第１の紙幣処理装置の前記集積部に集積させるように制御を行うことが好ましい。
【００１１】
本発明の紙幣処理機においては、前記第１の紙幣処理装置において、集積部は複数設けられており、紙幣は金種毎に各集積部に集積されることが好ましい。
【００１２】
また、前記第２の紙幣処理装置において、集積部は複数設けられており、紙幣は金種毎に各集積部に集積されることが好ましい。
【００１３】
本発明の紙幣処理機においては、第２の紙幣処理装置は、当該第２の紙幣処理装置の前記集積部に集積された紙幣を帯封紙で帯封し、帯封紙幣を作成するための帯封部を有することが好ましい。
【００１４】
この場合、前記制御部は、第１回目の処理において、前記第１の紙幣処理装置の前記識別部により識別された紙幣が第１国の紙幣である場合にはこの紙幣を前記第２の紙幣処理装置の前記集積部に集積させ、前記第１の紙幣処理装置の前記識別部により識別された紙幣が第１国以外の国の紙幣である場合にはこの紙幣を前記第１の紙幣処理装置の前記集積部に集積させ、前記第２の紙幣処理装置の前記集積部に集積された第１国の紙幣を前記帯封部により帯封紙で帯封し、第１国の帯封紙幣を前記第２の紙幣処理装置から取り出し、前記第１回目の処理に引き続いて行われる第２回目の処理において、前記第１の紙幣処理装置の前記識別部により識別された紙幣が第１国以外の国の紙幣である場合にはこの紙幣を前記第２の紙幣処理装置の前記集積部に集積させ、前記第２の紙幣処理装置の前記集積部に集積された第１国以外の国の紙幣を前記帯封部により帯封紙で帯封し、第１国以外の国の帯封紙幣を前記第２の紙幣処理装置から取り出すように制御を行うことがより好ましい。
【００１５】
本発明の紙幣処理機においては、第１国の紙幣および第１国以外の国の紙幣がそれぞれ搬送される紙幣処理装置を予め指定するための搬送先指定部を更に備え、前記制御部は、前記第１の紙幣処理装置の前記識別部による紙幣の識別結果に基づいて、第１国の紙幣および第１国以外の国の紙幣を、それぞれ前記搬送先指定部により指定された紙幣処理装置の集積部に集積させるように制御することが好ましい。
【００１６】
あるいは、第１国の紙幣および第１国以外の国の紙幣がそれぞれ搬送される紙幣処理装置を予め指定するための搬送先指定部と、第１国の紙幣および第１国以外の国の紙幣のうちどちらの紙幣を優先して処理するかを予め指定するための優先処理国指定部と、国毎に紙幣の金種の数を記憶する記憶部と、を更に備え、前記制御部は、前記優先処理国指定部により指定された第１国の紙幣または第１国以外の国の紙幣について、前記記憶部に記憶された金種の数が、前記搬送先指定部により指定された紙幣処理装置の集積部の数よりも多い場合には、他方の紙幣処理装置の集積部に、前記搬送先指定部により指定された紙幣処理装置の集積部に割り当てられなかった金種の紙幣を集積させるよう割り当てを行うことが好ましい。
【００１７】
本発明の紙幣処理機においては、前記紙幣処理機は、３ヶ国以上の国の紙幣の処理を行うようになっており、前記第１の紙幣処理装置および前記第２の紙幣処理装置において、集積部はそれぞれ複数設けられており、前記制御部は、前記第１の紙幣処理装置の前記識別部により識別された紙幣が第１国の紙幣である場合にはこの紙幣を前記第２の紙幣処理装置の前記各集積部に金種毎に集積させ、前記第１の紙幣処理装置の前記識別部により識別された紙幣が第１国および第２国の紙幣ではない場合にはこの紙幣を前記第１の紙幣処理装置における１つの特定集積部に混合状態で集積させ、前記第１の紙幣処理装置の前記識別部により識別された紙幣が第２国の紙幣である場合にはこの紙幣を前記第１の紙幣処理装置における前記特定集積部を除く前記各集積部に金種毎に集積させるように制御を行うことが好ましい。
【図面の簡単な説明】
【００１８】
【図１】本発明の一の実施の形態における紙幣処理機の構成の概略を示す構成図である。
【図２】図１に示す紙幣処理機における第１の紙幣処理装置の構成の詳細を示す構成図である。
【図３】図１に示す紙幣処理機における第２の紙幣処理装置の構成の詳細を示す構成図である。
【図４】図１に示す紙幣処理機における制御ブロック図である。
【発明を実施するための最良の形態】
【００１９】
以下、図面を参照して本発明の一の実施の形態について説明する。ここで、図１乃至図４は、本実施の形態に係る紙幣処理機を示す図である。このうち、図１は、本実施の形態における紙幣処理機の構成の概略を示す構成図であり、図２は、図１に示す紙幣処理機における第１の紙幣処理装置の構成の詳細を示す構成図であり、図３は、図１に示す紙幣処理機における第２の紙幣処理装置の構成の詳細を示す構成図である。また、図４は、図１に示す紙幣処理機における制御ブロック図である。【００２０】
本実施の形態による紙幣処理機１は、第１国の紙幣および第１国以外の国の紙幣を含む複数の国の複数の金種の紙幣の処理を行うことができるようになっている。図１に示すように、紙幣処理機１は、並列に配置される第１の紙幣処理装置２および第２の紙幣処理装置３を備えている。第１の紙幣処理装置２および第２の紙幣処理装置３はそれぞれ略直方体形状となっており、図１に示すように第１の紙幣処理装置２および第２の紙幣処理装置３は互いに連結されている。【００２１】
まず、図２により第１の紙幣処理装置２の構成の詳細について説明する。【００２２】
図２に示すように、第１の紙幣処理装置２には、紙幣が投入される投入部４が設けられている。この投入部４は、複数の紙幣が積層状態で載置されるホッパと、ホッパに載置された複数の紙幣を、最下層のものから１枚ずつ筐体の内部に繰り出す繰出機構とを有している。投入部４の繰出機構により筐体の内部に繰り出された紙幣は１枚ずつ搬送部５により搬送されるようになっている。搬送部５には、当該搬送部５で搬送される紙幣の識別を行う識別部６が設けられている。識別部６は、紙幣の金種、正損、真偽、表裏等を識別するようになっている。識別部６により識別された紙幣は、搬送部７により搬送されるようになっている。【００２３】
搬送部７には２つの分岐爪１７、１８が直列に設けられている。これらの分岐爪１７、１８を切り換えることにより、識別部６により識別することができなかった紙幣や識別部６によりリジェクト紙幣と識別された紙幣を、リジェクト紙幣集積部１１、１２に集積させることができるようになっている。ここで、リジェクト紙幣とは、損券（汚れや破れにより損傷の大きい紙幣）、偽券等である。このようなリジェクト紙幣は、回収されて再利用される紙幣とは区別され、リジェクト紙幣集積部１１、１２に集積されることとなる。各リジェクト紙幣集積部１１、１２には、それぞれ、当該リジェクト紙幣集積部１１、１２に送られるリジェクト紙幣を１枚ずつ受け止めて集積するための羽根車１９、２０が設けられている。【００２４】
リジェクト紙幣以外の紙幣は、搬送部７から搬送部８へと搬送される。搬送部８には分岐爪２１が設けられており、分岐爪２１を切り換えることにより、搬送部８から紙幣を直接的に搬送部９に搬送するか、あるいは搬送部８から反転部２２を経由して搬送部９に紙幣を搬送することができる。反転部２２は紙幣の表裏を反転させる機能を有している。搬送部９は、搬送部８から直接的に送られる紙幣と、搬送部８から反転部２２を経由して送られる紙幣との搬送順序を変えないように搬送時間およびタイミングを調整し、紙幣を搬送部１０に送るようになっている。【００２５】
搬送部１０は、略水平方向に紙幣を搬送するようになっており（図２において右方向に紙幣を搬送するようになっており）、この搬送部１０の下方には例えば４つの集積部１３、１４、１５、１６が並列に配置されている。また、搬送部１０には分岐爪２３、２４、２５、２６が直列に設けられている。これらの分岐爪２３、２４、２５、２６を切り換えることにより、搬送部１０で搬送される紙幣を４つの集積部１３、１４、１５、１６のうちいずれかの集積部に集積させることができるようになっている。各集積部１３、１４、１５、１６には、それぞれ、当該集積部１３、１４、１５、１６に送られる紙幣を１枚ずつ受け止めて集積するための羽根車２７、２８、２９、３０が設けられている。また、搬送部１０の右端部は第２の紙幣処理装置２０に接続されており、搬送部１０で紙幣が搬送される際に、各集積部１３、１４、１５、１６に送られなかった紙幣は搬送部１０から後述する第２の紙幣処理装置３の搬送部３１に送られることとなる。【００２６】
次に、図３により第２の紙幣処理装置３の構成の詳細について説明する。【００２７】
図３に示すように、第２の紙幣処理装置３の筐体の内部には、例えば上下方向に５つの集積部３２、３３、３４、３５、３６が配置されている。そして、これらの５つの集積部３２、３３、３４、３５、３６のいずれかに紙幣を集積させるために、搬送部３７、３８、３９、４０が設けられている。【００２８】
また、第２の紙幣処理装置３の筐体の内部には、第１の紙幣処理装置２の搬送部１０から紙幣が送られる搬送部３１が設けられている。この搬送部３１には分岐爪４１が設けられており、分岐爪４１を切り換えることにより、搬送部３１で搬送される紙幣を集積部３２に集積させるか、あるいは搬送部３７へ送るかが切り換えられるようになっている。また、搬送部３７には分岐爪４２が設けられており、この分岐爪４２を切り換えることにより、搬送部３７で搬送される紙幣を集積部３３に集積させるか、あるいは搬送部３８へ送るかが切り換えられるようになっている。【００２９】
搬送部３８には分岐爪４３が設けられており、この分岐爪４３を切り換えることにより、搬送部３８で搬送される紙幣を集積部３４に集積させるか、あるいは搬送部３９へ送るかが切り換えられるようになっている。また、搬送部３９には分岐爪４４が設けられており、この分岐爪４４を切り換えることにより、搬送部３９で搬送される紙幣を集積部３５に集積させるか、あるいは搬送部４０へ送るかが切り換えられるようになっている。さらに、搬送部４０には分岐爪４５が位置固定で設けられており、この分岐爪４５により、搬送部４０で搬送される紙幣を集積部３６に集積させるようになっている。各搬送部３１、３７、３８、３９、４０において、集積部３２、３３、３４、３５、３６の入口の箇所にはそれぞれ羽根車４６、４７、４８、４９、５０が設けられている。各羽根車４６、４７、４８、４９、５０は、各搬送部３１、３７、３８、３９、４０から各集積部３２、３３、３４、３５、３６へ搬入されて自重で落下しようとする紙幣の後端部を叩くことにより、紙幣を各集積部３２、３３、３４、３５、３６に素早く集積させるようになっている。紙幣は、１枚ずつ羽根車４６、４７、４８、４９、５０で上方から押さえられて集積部３２、３３、３４、３５、３６へ積層状態で集積される。【００３０】
また、第２の紙幣処理装置３の筐体の内部における下部位置には帯封部５１が設けられている。この帯封部５１は、複数（例えば２巻）のリールテープ５２、５３および帯封機構５４を有している。帯封部５１において、リールテープ５２、５３から択一的にテープが繰り出され、帯封機構５４によって積層状態の複数の紙幣がテープで帯封（結束）されるようになっている。【００３１】
また、第２の紙幣処理装置３の筐体の内部には、紙幣の搬送を行う搬送装置５５が設けられている。この搬送装置５５は、各集積部３２、３３、３４、３５、３６に集積された紙幣を取り出し、帯封部５１に送るとともに、帯封部５１で帯封された（テープで結束された）帯封紙幣を筐体の外部へ運ぶようになっている。また、第２の紙幣処理装置３の筐体の上部には紙幣返却部５６が設けられており、各集積部３２、３３、３４、３５、３６に集積された紙幣の枚数が１００枚に満たずに紙幣の処理が終了した場合には、各集積部３２、３３、３４、３５、３６における１００枚に満たない紙幣の束は搬送装置５５により紙幣返却部５６に送られるようになっている。搬送装置５５は、図３における矢印Ａに示す方向に移動することができるようになっている。【００３２】
図４に示すように、第１の紙幣処理装置２の筐体の内部には、第１の紙幣処理装置２および第２の紙幣処理装置３の各構成要素の制御を行う制御部７０が設けられている。より具体的には、制御部７０は、第１の紙幣処理装置２における識別部６、搬送部５、７、８、９、１０、分岐爪１７、１８、２１、２３、２４、２５、２６および反転部２２にそれぞれ接続されている。また、制御部７０は、第２の紙幣処理装置３における搬送部３１、３７、３８、３９、４０、分岐爪４１、４２、４３、４４、４５、搬送装置５５および帯封部５１にそれぞれ接続されている。識別部６による紙幣の識別結果は制御部７０に送られるようになっている。また、制御部７０は、第１の紙幣処理装置２における搬送部５、７、８、９、１０、分岐爪１７、１８、２１、２３、２４、２５、２６および反転部２２の制御を行うとともに、第２の紙幣処理装置３における搬送部３１、３７、３８、３９、４０、分岐爪４１、４２、４３、４４、４５、搬送装置５５および帯封部５１の制御を行うようになっている。【００３３】
また、制御部７０には、第１国の紙幣および第１国以外の国の紙幣がそれぞれ搬送される紙幣処理装置を指定するための搬送先指定部７２が設けられている。また、制御部７０には、第１国の紙幣および第１国以外の国の紙幣のうちどちらの紙幣を優先して処理するかを指定する優先処理国指定部７４が設けられている。これらの搬送先指定部７２および優先処理国指定部７４は、操作者が紙幣処理機１を操作するための操作部として設けられている。これらの搬送先指定部７２および優先処理国指定部７４の構成の詳細については後述する。また、制御部７０には、国毎に紙幣の金種の数を記憶する記憶部７６が設けられている。【００３４】
なお、図４において、制御部７０、搬送先指定部７２、優先処理国指定部７４および記憶部７６が第１の紙幣処理装置２に設けられた例について説明したが、このような例に限定されることはない。例えば、制御部７０、搬送先指定部７２、優先処理国指定部７４および記憶部７６の全てあるいは一部が第２の紙幣処理装置３に設けられていてもよい。また、紙幣処理機１の制御部７０がインターフェースを介して上位装置と通信接続されており、上位装置から制御部７０に指令が与えられることにより制御部７０が第１の紙幣処理装置２および第２の紙幣処理装置３の各構成要素の制御を行うようになっていてもよい。この場合、識別部６による紙幣の識別結果が制御部７０からインターフェースを介して上位装置に送られるようになっていてもよい。【００３５】
次に、上述のような構成からなる紙幣処理機１の動作について説明する。以下に示す動作は、制御部７０が第１の紙幣処理装置２および第２の紙幣処理装置３の各構成要素の制御を行うことにより行われるようになっている。【００３６】
本実施の形態の紙幣処理機１において、制御部７０は、第１の紙幣処理装置２の識別部６により識別された紙幣が第１国の紙幣である場合にはこの紙幣を第２の紙幣処理装置３の各集積部３２、３３、３４、３５、３６に金種毎に集積させ、第１の紙幣処理装置２の識別部６により識別された紙幣が第１国以外の国の紙幣である場合にはこの紙幣を第１の紙幣処理装置２の各集積部１３、１４、１５、１６に金種毎に集積させるように制御を行っている。【００３７】
より具体的に説明すると、操作者は、まず、第１の紙幣処理装置２の投入部４のホッパに、混合状態にある複数の国の複数の金種の紙幣を積層状態で載置する。ホッパに載置された紙幣は、投入部４の繰出機構により１枚ずつ筐体の内部に繰り出され、識別部６により識別される。ここで、識別部６により識別された紙幣が第１国の紙幣である場合には、この紙幣は第１の紙幣処理装置２の搬送部１０から第２の紙幣処理装置３の搬送部３１に送られ、第２の紙幣処理装置３の各集積部３２、３３、３４、３５、３６に金種毎に集積させられる。一方、識別部６により識別された紙幣が第１国以外の国の紙幣である場合には、この紙幣は第１の紙幣処理装置２の各集積部１３、１４、１５、１６に金種毎に集積させられる。なお、識別部６により識別することができなかった紙幣や、識別部６によりリジェクト紙幣であると識別された紙幣は、各リジェクト紙幣集積部１１、１２に集積させられる。【００３８】
第２の紙幣処理装置３の各集積部３２、３３、３４、３５、３６において、集積された紙幣の枚数が例えば１００枚に達した場合には、この紙幣の束は搬送装置５５により帯封部５１に送られる。帯封部５１において、リールテープ５２、５３から択一的にテープが繰り出され、帯封機構５４によって１００枚の束状態の紙幣がテープで帯封（結束）される。帯封部５１により作成された帯封紙幣は搬送装置５５により第２の紙幣処理装置３の筐体の外部に投出される。一方、各集積部３２、３３、３４、３５、３６に集積された紙幣の枚数が１００枚に満たずに紙幣の処理が終了した場合には、各集積部３２、３３、３４、３５、３６における１００枚に満たない紙幣の束は搬送装置５５により紙幣返却部５６に送られる。【００３９】
第１の紙幣処理装置２の投入部４のホッパに載置された紙幣が全て第１の紙幣処理装置２の各集積部１３、１４、１５、１６または第２の紙幣処理装置３の各集積部３２、３３、３４、３５、３６に送られた場合には、紙幣の処理が終了する。このような紙幣の処理の後、第１国以外の国の紙幣の帯封を行う場合には、以下に示す第２回目の紙幣の処理が行われる。【００４０】
第２回目の紙幣の処理において、操作者は、第１の紙幣処理装置２の各集積部１３、１４、１５、１６から紙幣をそれぞれ取り出し、この取り出した紙幣を第１の紙幣処理装置２の投入部４のホッパに積層状態で載置する。ホッパに載置された紙幣は、投入部４の繰出機構により１枚ずつ筐体の内部に繰り出され、識別部６により識別される。ここで、識別部６により識別された紙幣が第２国の紙幣である場合には、この紙幣は第１の紙幣処理装置２の搬送部１０から第２の紙幣処理装置３の搬送部３１に送られ、第２の紙幣処理装置３の各集積部３２、３３、３４、３５、３６に金種毎に集積させられる。一方、識別部６により識別された紙幣が第１国および第２国以外の国の紙幣である場合には、この紙幣は第１の紙幣処理装置２の各集積部１３、１４、１５、１６に金種毎に集積させられる。第２の紙幣処理装置３の各集積部３２、３３、３４、３５、３６に送られた第２国の紙幣は、帯封部５１により帯封され、このようにして作成された帯封紙幣は搬送装置５５により第２の紙幣処理装置３の筐体の外部に投出される。【００４１】
上述のような紙幣の処理を繰り返すことにより、各国の紙幣について金種毎に仕分けることができるとともに金種毎の紙幣の束を第２の紙幣処理装置３の帯封部５１で帯封することができる。【００４２】
なお、第２回目の紙幣の処理において、識別部６により識別された紙幣が第１国以外の国の紙幣である場合に、この紙幣を全て第１の紙幣処理装置２の搬送部１０から第２の紙幣処理装置３の搬送部３１に送り、第２の紙幣処理装置３の各集積部３２、３３、３４、３５、３６に集積させるようになっていてもよい。この場合には、第１回目の処理において第１国の紙幣の帯封を行うことができ、第２回目の処理において第１国以外の国の紙幣の帯封を行うことができる。【００４３】
以上のように本実施の形態の紙幣処理機１においては、第１の紙幣処理装置２に対して第２の紙幣処理装置３が連結して配置されており、第１の紙幣処理装置２の識別部６により識別された紙幣が第２の紙幣処理装置３に送られるようになっている。そして、制御部７０により、第１国の紙幣と第１国以外の国の紙幣がそれぞれ搬送される紙幣処理装置が、第１の紙幣処理装置２または第２の紙幣処理装置３に振り分けられる。このため、複数の国の複数の金種の紙幣の処理を行う場合、まず、紙幣が国毎に第１の紙幣処理装置２または第２の紙幣処理装置３に仕分けられ、各紙幣処理装置２、３において紙幣が更に例えば金種毎に各集積部１３、１４、１５、１６、３２、３３、３４、３５、３６に仕分けられる。このため、単に複数の集積部が並列に設けられた紙幣処理機と比較して、紙幣の処理回数を減らすことができる。【００４４】
より具体的には、制御部７０は、第１の紙幣処理装置２の識別部６により識別された紙幣が第１国の紙幣である場合にはこの紙幣を第２の紙幣処理装置３の各集積部３２、３３、３４、３５、３６に金種毎に集積させ、第１の紙幣処理装置２の識別部６により識別された紙幣が第１国以外の国の紙幣である場合にはこの紙幣を第１の紙幣処理装置２の各集積部１３、１４、１５、１６に金種毎に集積させるように制御を行っている。このため、制御部７０において、第１国の紙幣と第１国以外の国の紙幣がそれぞれ搬送される紙幣処理装置を、第１の紙幣処理装置２または第２の紙幣処理装置３に振り分ける際に、第１国の紙幣を第２の紙幣処理装置３に対応させ、第１国以外の国の紙幣を第１の紙幣処理装置２に対応させることができる。【００４５】
また、第２の紙幣処理装置３は、この第２の紙幣処理装置３の各集積部３２、３３、３４、３５、３６に集積された紙幣を帯封紙で帯封し、帯封紙幣を作成するための帯封部５１を有している。このため、複数の国の紙幣を国毎に第１の紙幣処理装置２または第２の紙幣処理装置３に仕分けたときに、第２の紙幣処理装置３に仕分けられた国の紙幣の帯封を行うことができるようになる。【００４６】
また、制御部７０は、第１回目の処理において、第１の紙幣処理装置２の識別部６により識別された紙幣が第１国の紙幣である場合にはこの紙幣を第２の紙幣処理装置３の各集積部３２、３３、３４、３５、３６に金種毎に集積させ、第１の紙幣処理装置２の識別部６により識別された紙幣が第１国以外の国の紙幣である場合にはこの紙幣を第１の紙幣処理装置２の各集積部１３、１４、１５、１６に金種毎に集積させ、第２の紙幣処理装置３の各集積部３２、３３、３４、３５、３６に集積された第１国の紙幣を帯封部５１により帯封紙で帯封し、第１国の帯封紙幣を第２の紙幣処理装置３から取り出すようになっている。そして、第１回目の処理に引き続いて行われる第２回目の処理において、第１の紙幣処理装置２の識別部６により識別された紙幣が第１国以外の国の紙幣である場合にはこの紙幣を第２の紙幣処理装置３の各集積部３２、３３、３４、３５、３６に金種毎に集積させ、第２の紙幣処理装置３の各集積部３２、３３、３４、３５、３６に集積された第１国以外の国の紙幣を帯封部５１により帯封紙で帯封し、第１国以外の国の帯封紙幣を第２の紙幣処理装置３から取り出すようになっている。このため、第１回目の処理において第１国の紙幣の帯封を行うことができ、第２回目の処理において第１国以外の国の紙幣の帯封を行うことができる。【００４７】
なお、本実施の形態による紙幣処理機１は、上記の態様に限定されるものではなく、様々の変更を加えることができる。例えば、操作者は、搬送先指定部７２により、第１国の紙幣および第１国以外の国の紙幣がそれぞれ搬送される紙幣処理装置を予め指定することができるようになっていてもよい。この場合、制御部７０は、第１の紙幣処理装置２の識別部６による紙幣の識別結果に基づいて、第１国の紙幣および第１国以外の国の紙幣を、それぞれ搬送先指定部７２により指定された紙幣処理装置の集積部に集積させるように制御することとなる。【００４８】
具体的には、操作者が、搬送先指定部７２により、第１国の紙幣を第１の紙幣処理装置２に割り当て、第１国以外の国の紙幣を第２の紙幣処理装置３に割り当てた場合には、制御部７０は、第１の紙幣処理装置２の識別部６により識別された紙幣が第１国の紙幣である場合にはこの紙幣を第１の紙幣処理装置２の各集積部１３、１４、１５、１６に集積させ、第１の紙幣処理装置２の識別部６により識別された紙幣が第１国以外の国の紙幣である場合にはこの紙幣を第２の紙幣処理装置３の各集積部３２、３３、３４、３５、３６に集積させるように制御を行う。【００４９】
また、操作者は、搬送先指定部７２により、第１国の紙幣および第１国以外の国の紙幣がそれぞれ搬送される紙幣処理装置を予め指定するとともに、優先処理国指定部７４により、第１国の紙幣および第１国以外の国の紙幣のうちどちらの紙幣を優先して処理するかを指定することができるようになっていてもよい。この場合、制御部７０は、優先処理国指定部７４により指定された第１国の紙幣または第１国以外の国の紙幣について、記憶部７６に記憶された金種の数が、搬送先指定部７２により指定された紙幣処理装置の集積部の数よりも多い場合には、他方の紙幣処理装置の集積部に、搬送先指定部７２により指定された紙幣処理装置の集積部に割り当てられなかった金種の紙幣を集積させるよう割り当てを行うこととなる。【００５０】
具体的には、操作者が、搬送先指定部７２により、第１国の紙幣を第２の紙幣処理装置３に割り当て、第１国以外の国の紙幣を第１の紙幣処理装置２に割り当てるとともに、優先処理国指定部７４により、第１国の紙幣を優先して処理することを指定した場合において、第１国の紙幣の金種が６つであったときには、第２の紙幣処理装置３には５つの集積部３２、３３、３４、３５、３６が設けられているのに対し、第１国の紙幣の金種は６つであるため、第２の紙幣処理装置３の各集積部３２、３３、３４、３５、３６に、第１国の紙幣の各金種を割り当てようとした場合には、第２の紙幣処理装置３における集積部の数が１つ不足してしまう。この場合は、第１の紙幣処理装置２の４つの集積部１３、１４、１５、１６のうち１つの集積部（例えば集積部１３）を、第１国の紙幣を集積させるために用い、第１の紙幣処理装置２の集積部１３および第２の紙幣処理装置３の集積部３２、３３、３４、３５、３６からなる６つの集積部に、第１国の紙幣の６つの金種を割り当てることとなる。【００５１】
また、紙幣処理機１は、３ヶ国以上の国の紙幣の処理を行うようになっていてもよい。この場合は、例えば、制御部７０は、第１の紙幣処理装置２の識別部６により識別された紙幣が第１国の紙幣である場合にはこの紙幣を第２の紙幣処理装置３の各集積部３２、３３、３４、３５、３６に金種毎に集積させ、第１の紙幣処理装置２の識別部６により識別された紙幣が第１国の紙幣である場合にはこの紙幣を第１の紙幣処理装置２の３つの集積部１３、１４、１５に金種毎に集積させ、第１の紙幣処理装置２の識別部６により識別された紙幣が第１国および第２国の紙幣ではない場合にはこの紙幣を第１の紙幣処理装置２における１つの特定集積部１６に混合状態で集積させるように制御を行う。なお、紙幣処理機１が３ヶ国以上の国の紙幣の処理を行う場合における、制御部７０による制御方法はこのような例に限定されるものではなく、他の制御を行うようになっていてもよい。【００５２】
また、搬送先指定部７２や優先処理国指定部７４としては、操作者により操作される操作部として構成されるものに限定されることはない。例えば、上位装置から制御部７０に対して信号が送られることにより、第１国の紙幣および第１国以外の国の紙幣がそれぞれ搬送される紙幣処理装置が指定されたり、第１国の紙幣および第１国以外の国の紙幣のうちどちらの紙幣を優先して処理するかが指定されたりするようになっていてもよい。また、紙幣処理機１の導入時に、第１国の紙幣および第１国以外の国の紙幣がそれぞれ搬送される紙幣処理装置が予め指定されたり、第１国の紙幣および第１国以外の国の紙幣のうちどちらの紙幣を優先して処理するかが予め指定されたりするようになっていてもよい。また、紙幣の処理状況に応じて、制御部７０が、第１国の紙幣および第１国以外の国の紙幣がそれぞれ搬送される紙幣処理装置を自動的に指定したり、第１国の紙幣および第１国以外の国の紙幣のうちどちらの紙幣を優先して処理するかを自動的に指定したりするようになっていてもよい。【００５３】
また、制御部７０は、第１の紙幣処理装置２の識別部６により識別された紙幣について、この紙幣が第１国の紙幣でありかつ正券である場合には、この紙幣を第２の紙幣処理装置３の各集積部３２、３３、３４、３５に金種毎に集積させ、識別部６により識別された紙幣が第１国の紙幣でありかつ損券である場合には、この紙幣を第２の紙幣処理装置３の集積部３６に混合状態で集積させ、識別部６により識別された紙幣が第１国以外の国の紙幣でありかつ正券である場合には、この紙幣を第１の紙幣処理装置２の各集積部１３、１４、１５に金種毎に集積させ、識別部６により識別された紙幣が第１国以外の国の紙幣でありかつ損券である場合には、この紙幣を第１の紙幣処理装置２の集積部１６に集積させるように制御を行うようになっていてもよい。また、全ての国の紙幣について、正券と損券とで集積部を異なるものにするのではなく、操作者により指定された国の紙幣のみについて、正券と損券とで集積部を異なるものにしてもよい。【００５４】
また、操作者は、紙幣処理機１に設けられた操作部により、正券と損券とで集積部が異なるような紙幣の発行国を選択することができるようになっていてもよい。より具体的には、操作者は、第１国の紙幣のみについて正券と損券とで集積部が異なるようにするのか、第１国以外の国の紙幣のみについて正券と損券とで集積部が異なるようにするのか、あるいは全ての国の紙幣について正券と損券とで集積部が異なるようにするのかを、操作部で選択することができるようになっていてもよい。また、上位装置から制御部７０に対して信号が送られることにより、正券と損券とで集積部が異なるような紙幣の発行国を選択することができるようになっていてもよい。【００５５】
また、第２の紙幣処理装置３としては、帯封部５１が設けられていないものを用いてもよい。この場合、各集積部３２、３３、３４、３５、３６は、第１の紙幣処理装置２の集積部１３、１４、１５、１６と同様に、紙幣が集積されるとともに操作者が紙幣を手で取り出すことができるよう構成されることとなる。また、第２の紙幣処理装置３を、第１の紙幣処理装置２と略同一の構成としてもよい。また、帯封部５１が設けられていない第２の紙幣処理装置３において、各集積部３２、３３、３４、３５、３６を収納庫タイプのものとしてもよい。収納庫タイプの集積部とは、集積された紙幣を外部から手で直接取り出すことができないようなものをいう。【００５６】
また、第２の紙幣処理装置３において帯封部５１が複数設けられていてもよい。この場合、複数の金種の紙幣について同時に帯封紙で帯封する必要が生じた際には、複数の帯封部５１により各々の金種の紙幣の帯封を同時に行うことができるようになるので、紙幣の処理時間を短縮することができるようになる。【００５７】
また、１つの第１の紙幣処理装置２に対して複数の第２の紙幣処理装置３を設けてもよい。この場合、第１の紙幣処理装置２に複数の第２の紙幣処理装置３が直列状に連結されてもよいし、あるいは複数の第２の紙幣処理装置３が並列に設けられ第１の紙幣処理装置２から各々の第２の紙幣処理装置３にそれぞれ紙幣が送られるようになっていてもよい。第２の紙幣処理装置３を複数設けた場合、複数の国の紙幣について帯封紙で帯封する必要が生じた際には、複数の第２の紙幣処理装置３により各々の国の紙幣の帯封を同時に行うことができるようになるので、紙幣の処理時間を短縮することができるようになる。
【図１】
2010032310.tif 000003
【図２】
2010032310.tif 000004
【図３】
2010032310.tif 000005
【図４】
2010032310.tif 000006
【国際調査報告】
2010032310.tif 000007
2010032310.tif 000008